(57)【要約】【課題】畳の上を引きずって移動させたときの畳の傷つきを防止することができ、しかも高い安定性を構造簡単に得ることができる床置き型暖房機を提供する。【解決手段】床置き型暖房機の底部に備えられて機器本体を搭載する平面視大略矩形状の基台３に、複数の脚部８と、複数の突起１１，１２とを設ける。脚部８は基台３から下方に向かって突設されて床面に接し、少なくとも基台３周縁部と床面との間に隙間を形成する。複数の突起１１，１２は、基台３の周縁部のうち四隅のコーナー部１０を除く前後縁の夫々に、下方に向かって突出して床面に接する。【選択図】図３
2005331155.tif 000002
【特許請求の範囲】
【請求項１】
床面に接する平面視大略矩形状の基台を底部に備える床置き型暖房機において、
前記基台は、その基台周縁部から離間した内方位置において下方に向かって突設されて床面に接すると共に少なくとも基台周縁部と床面との間に隙間を形成して暖房機本体を支持する複数の脚部と、該基台周縁部のうち四隅のコーナー部を除く少なくとも前後縁の夫々の下端面に所定間隔を存して配設されると共に下方に向かって突出して床面に接する複数の突起とを備えることを特徴とする床置き型暖房機。
【請求項２】
前記基台は、前記基台周縁部を端縁から下方に延びる周壁により構成し、前記脚部は、該周壁の下端と床面との間に隙間を形成し、前記突起は、前記周壁の下端から下方に向かって突出することを特徴とする請求項１記載の床置き型暖房機。
【請求項３】
前記突起の床面に接する先端の周縁は湾曲する形状に形成されていることを特徴とする請求項１又は２記載の床置き型暖房機。
【発明の詳細な説明】
【技術分野】
【０００１】
本発明は、床置き型暖房機に関し、詳しくは、床面に接する基台を底部に備える床置き型暖房機に関する。
【背景技術】
【０００２】
温風暖房機等の床置き型暖房機には、暖房機本体の底板を兼ねる平面視大略矩形状の基台が設けられており、該基台が床面に接して床置き状態で使用される（例えば、特許文献１参照）。
【０００３】
ところで、この種の床置き型暖房機は、比較的手軽に移動することができるので、使用者が暖房機を引きずって部屋内を移動させることがある。しかし、この種の床置き型暖房機を和室において使用したとき、暖房機を移動させるために畳の上を引きずると、基台のコーナー部に畳が引っ掛かって畳が傷ついてしまう不都合があった。
【０００４】
そこで、基台の周縁部から離間した内方位置に基台の裏面側に突出する脚部を設け、これによって基台の周縁部と床面との間に隙間を形成しておくことが考えられる。この間隙により、基台のコーナー部は床面に接触することがなくなり、暖房機を移動させるために畳の上を引きずっても畳の傷付きを防止することができる。
【０００５】
しかし、脚部を設けることによって常に基台の周縁部が床面から浮いた状態にあるので、暖房機の安定性が悪化する不都合がある。
【特許文献１】特開２０００−７４４９７号公報
【発明の開示】
【発明が解決しようとする課題】
【０００６】
かかる不都合を解消して、本発明は、畳の上を引きずって移動させたときの畳の傷つきを防止することができ、しかも高い安定性を構造簡単に得ることができる床置き型暖房機を提供することを目的とする。
【課題を解決するための手段】
【０００７】
かかる目的を達成するために、本発明は、床面に接する平面視大略矩形状の基台を底部に備える床置き型暖房機において、前記基台は、その基台周縁部から離間した内方位置において下方に向かって突設されて床面に接すると共に少なくとも基台周縁部と床面との間に隙間を形成して暖房機本体を支持する複数の脚部と、該基台周縁部のうち四隅のコーナー部を除く少なくとも前後縁の夫々の下端に所定間隔を存して配設されると共に下方に向かって突出して床面に接する複数の突起とを備えることを特徴とする。
【０００８】
本発明の床置き型暖房機によれば、その基台に前記脚部を設けたことによって基台周縁部と床面との間に隙間が形成されるので、基台のコーナー部は床面に接触することがない。これによって、畳の上を引きずって暖房機を移動させても、基台のコーナー部に畳が引っ掛かることがなく、畳の傷つきを防止することができる。更に、本発明の床置き型暖房機は、その基台に前記突起を設けたことによって、基台の前後縁において該突起が床面に当接するので、基台周縁部と床面との間に隙間が形成されることによる不安定な状態をなくし、安定性を向上させることができる。このとき、前記突起が、基台周縁部のうち四隅のコーナー部を除く前後縁に設けられているので、基台のコーナー部と床面との間の隙間を確実に形成しておくことができ、これによって、畳の傷つきを防止した状態を維持することができる。更に、前記突起は基台周縁部の前後縁の下端に突設されているので、目立つことがなく暖房機の外観を損ねることがない。
【０００９】
また、本発明の一態様として、前記基台は、前記基台周縁部を端縁から下方に延びる周壁により構成し、前記脚部は、該周壁の下端と床面との間に隙間を形成し、前記突起は、前記周壁の下端から下方に向かって突出することが挙げられる。前記基台に、基台周縁部から下方に延びる周壁を備えることにより、該基台の撓み剛性を向上させることができる。これによって、強度を低下させることなく基台全体を比較的肉薄とすることができ、基台を軽量化することができる。
【００１０】
また、本発明においては、前記突起の床面に接する先端の周縁は湾曲する形状に形成されていることが好ましい。これにより、畳の上を引きずって暖房機を移動させたとき、畳上における突起の滑り易さを向上させることができる。
【発明を実施するための最良の形態】
【００１１】
本発明の一実施形態を図面に基づいて説明する。図１は本実施形態の暖房機を示す側面図、図２は基台の側面図、図３は基台の底面図、図４は図３のIV−IV線断面図、図５は要部の拡大説明図、図６は他の形状の基台を示す説明的断面図である。
【００１２】
図１に示す暖房機１は、部屋内の床に置かれる床置き型であって、暖房機本体２の底部閉塞板を兼ねる基台３が設けられている。該基台３は、図２に示すように、暖房機本体２が載置される載置部４と、該載置部４の前方に張り出す前部拡張部５と、該載置部４の後方に張り出す後部拡張部６とを備えている。なお、本実施形態の基台３は、合成樹脂によって平面視大略矩形状に形成され、その周縁部として下方に向かって所定の肉厚寸法で延びる周壁４ａが設けられている。
【００１３】
暖房機本体２の内部には、図示しないが、温風を生成するためのガス燃焼装置や送風装置が内蔵されている。また、暖房機１は、図１に示すように、手軽に持ち上げて部屋内の所望の位置に移動させることができるように取っ手部７を備えている。
【００１４】
図２及び図３に示すように、基台３の周縁部を構成する周壁４ａの内側面から離間した内方位置であって、基台３の載置部４の下面側には、複数の脚部８が形成されている。脚部８は、暖房機本体２の重量を支えるだけの十分な強度を有して形成されており、その先端面（下端面）が床に当接する。更に脚部８は、図２及び図４に示すように、基台３の周縁部を構成する周壁４ａの下端面と床との間に隙間（本実施形態においては１〜２mmの隙間）が形成されるように突出されている。
【００１５】
また、図２に示すように、基台３の載置部４の上面側には、暖房機本体２を構成する図示しない各部品を連結支持するための支持突起９が一体に複数設けられている。
【００１６】
暖房機１は、前述したように、部屋内の所望の位置に移動させることができるものであるが、使用者によっては、床面を引きずるようにして移動させる場合がある。このとき、和室の畳上を引きずって暖房機１を移動させても、脚部８によって基台３の周縁部を構成する周壁４ａの下端が畳から離れた状態にあるので、基台３のコーナー部１０（図３参照）に畳が引っ掛かることはなく、畳の傷つきを防止することができる。
【００１７】
また、図３に示すように、前部拡張部５の前縁（即ち、基台３の前側端に位置する部分の周壁４ａ）の下縁端面には複数（本実施形態においては３つ）の突起１１が所定間隔を存して形成されている。該突起１１は図４に示すように、前部拡張部５に位置する周壁４ａの一部から連続して突出しており、その先端（下端）が床面に当接する。
【００１８】
同じように、図３に示すように、後部拡張部６の後縁（即ち、基台３の後側端に位置する部分の周壁４ａ）の下縁端面には複数（本実施形態においては３つ）の突起１２が所定間隔を存して形成されている。該突起１２は図４に示すように、後部拡張部６に位置する周壁４ａの一部から連続して突出しており、その先端（下端）が床面に当接する。
【００１９】
基台３は、脚部８が設けられて基台３の周壁４ａの下端と床面との間に隙間が形成されていても、暖房機本体２の前方に張り出す前部拡張部５と、暖房機本体２の後方に張り出す後部拡張部６とを備えることによって、暖房機１の倒れに対する安定性を向上させている。そして更に、各突起１１，１２を設けたことにより、基台３の周縁のコーナー部１０を除く位置で前部拡張部５と後部拡張部６とが部分的に床面に当接しているので、暖房機１の倒れ方向の動きを規制することができ、より一層高い安定性を得ることができる。
【００２０】
また、図５に一部を拡大して示すように、各突起１１は、その床面に接する先端の周縁が湾曲する形状に形成されている。これにより、前述したように和室の畳上を引きずって暖房機１を移動させたとき、各突起１１の畳に対する滑りを得ることができ、畳の傷つきを防止することができる。図５においては、前部拡張部５の突起１１を示したが、後部拡張部６の突起１２も同様に形成されている。
【００２１】
更に、本実施形態の基台３においては、合成樹脂により形成されていることにより、前記脚部８と前記突起１１，１２を容易に一体に形成することができ、部品点数の増加もないためにそれに伴うコストの増加を防止することができる。しかも、前記周縁部を構成する周壁４ａを備えることにより、基台３の撓み剛性が高く、基台３を比較的薄肉に形成しても十分な強度を得て軽量化することができる。更に、前記脚部８と前記突起１１，１２とが基台３に一体に設けられていることにより、暖房機本体２の荷重を支えるだけの高い剛性を容易に得ることができる。また、突起１１，１２は前部拡張部５及び後部拡張部６の下端側に突設されているので、外部から目立たず、デザイン性の高い暖房機１に設けても突起１１，１２によって外観が低下することがない。ここで、外観の低下を一層防止する場合には、暖房機１の安定性を阻害しない範囲において突起１１，１２を前部拡張部５及び後部拡張部６の外側端縁から離間する内方位置に突設すればよい。
【００２２】
なお、本発明における基台は、本実施形態において図４示の形状以外に、例えば、図６（ａ）乃至（ｃ）に示す形状としてもよい。図６（ａ）に示す基台１３は、中実に形成されたものである。図６（ａ）においては、前述の図５に示す実施形態のような周壁４ａを備えていないが、図６（ａ）に示すように、周縁部の下縁部に突起１１，１２が設けられる。図６（ｂ）に示す基台１４は、下方空間に複数の補強用リブ１５を設けて強度を向上させたものである。この場合にも、周縁部として周壁４ａを備え、周壁４ａの下縁部に突起１１，１２が設けられる。図６（ｃ）に示す基台１６は、その周縁部を起立する周壁１６ａにより構成し、前部拡張部５及び後部拡張部６を皿状に形成したものである。この場合には、周縁部として周壁１６ａを備えるので、周壁１６ａの下縁部に突起１１，１２が設けられる。
【００２３】
また、本実施形態においては、基台３を合成樹脂によって形成したが、それに限るものではなく、例えば図示しないが、金属板を加工して本実施形態の基台３と同様に形成してもよい。
【図面の簡単な説明】
【００２４】
【図１】本発明の一実施形態の床置き型暖房機を示す側面図。
【図２】基台の側面図。
【図３】基台の底面図。
【図４】図３のIV−IV線断面図。
【図５】基台の要部の拡大説明図。
【図６】他の形状の基台を示す説明的断面図。
【符号の説明】
【００２５】
１…床置き型暖房機、２…暖房機本体、３…基台、８…脚部、１０…コーナー部、１１，１２…突起。
【図１】
2005331155.tif 000003
【図２】
2005331155.tif 000004
【図３】
2005331155.tif 000005
【図４】
2005331155.tif 000006
【図５】
2005331155.tif 000007
【図６】
2005331155.tif 000008